(57)【要約】  本発明は、少なくとも１つのキャビティを画定するハウジングを備える熱保護装置に関する。ハウジング内には、バリスタが部分的に埋設されている。バリスタは、接触面を含む。更に、ハウジングは、絶縁材料から成る内壁を備え、当該内壁は、バリスタに隣接して配置されるとともに、バリスタの接触面に隣接して配置される。可動絶縁ブロックは、絶縁破壊を防止するように設計することができる。バリスタの接触面に対する接続部の分離は、当該接続部が緩んだ場合、２つのメカニズムによって確実に行われる。【選択図】図１
2021517739.tif 000002
【特許請求の範囲】
【請求項１】
熱保護装置（１００）であって、
ハウジング（１）と、
前記ハウジング（１）内に部分的に埋設され且つ前記ハウジング（１）とは電気的に絶縁されたバリスタ（２）であって、部分的に非絶縁の接触面（２１）を有するバリスタ（２）と、
絶縁材料から成る内壁（１６）であって、前記バリスタ（２）の前記接触面（２１）に隣接して配置される内壁（１６）と、
前記内壁（１６）に設けられた窓部（１２）であって、前記熱保護装置（１００）の作動状態において、前記バリスタ（２）の前記接触面（２１）の電気接続（１１）を可能とする窓部（１２）と、
前記内壁（１６）における窓部（１２）を覆うように配置された可動絶縁ブロック（４３）であって、前記熱保護装置（１００）の障害状態において、前記内壁（１６）の窓部（１２）の領域で前記バリスタ（２）を絶縁する可動絶縁ブロック（４３）と、を備える熱保護装置（１００）。
【請求項２】
金属接点がばね端子（１３）を規定し、これにより、前記熱保護装置（１００）が作動状態にある間、前記ばね端子（１３）は、前記窓部（１２）を介して前記バリスタ（２）の前記接触面（２１）に電気接続（１１）をもたらす、請求項１記載の熱保護装置（１００）。
【請求項３】
前記金属接点は、前記熱保護装置（１００）が作動状態にある間、前記接触面から離れる方向に作用する予応力を受ける、請求項２記載の熱保護装置（１００）。
【請求項４】
前記バリスタ（２）の前記接触面（２１）と前記ばね端子（１３）との間の前記電気接続（１１）は、前記熱保護装置（１００）が作動状態にある間、低温のはんだ接合を含み、前記低温は、前記はんだ接合が前記予応力によって前記接触面との接触が遮断され得る状態に達する特性温度である、請求項２又は３記載の熱保護装置（１００）。
【請求項５】
前記特性温度は、１８０℃から２１０℃の範囲、例えば２００℃である、前記はんだの溶融温度である、請求項４記載の熱保護装置（１００）。
【請求項６】
前記可動絶縁ブロック（４３）は、前記熱保護装置（１００）が作動状態にある間、ばね（４２）からのばね力によって前記ばね端子（１３）に押し付けられる、請求項２、３、４又は５記載の熱保護装置（１００）。
【請求項７】
前記可動絶縁ブロック（４３）は、前記ばね（４２）によって端位置（４３ａ）に押し込まれ、これにより、前記熱保護装置（１００）の障害状態において、前記内壁（１６）の前記窓部（１２）を覆うように設計されている、請求項１から６までのいずれか一項記載の熱保護装置（１００）。
【請求項８】
前記ハウジング（１）は、前側に指示器（３１）を含み、これにより、前記指示器（３１）の信号接点（３２）は前記ハウジング（１）の外部に位置し、指示器トリガ（３３）は前記ハウジング（１）内に位置する、請求項１から７までのいずれか一項記載の熱保護装置（１００）。
【請求項９】
前記指示器（３１）はマイクロスイッチである、請求項８記載の熱保護装置（１００）。
【請求項１０】
前記可動絶縁ブロック（４３）は、前記ばね（４２）によってその端位置（４３ａ）に押し込まれるように設計されており、それによって、前記熱保護装置（１００）の障害状態において、前記指示器（３１）の前記指示器トリガ（３３）を作動させる、請求項８又は９記載の熱保護装置（１００）。
【請求項１１】
前記バリスタ（２）は矩形状または丸形状を有する、請求項１から１０までのいずれか一項記載の熱保護装置（１００）。
【請求項１２】
前記バリスタ（２）は、端子（２２）を含む第２接触面を備える、請求項１から１１までのいずれか一項記載の熱保護装置（１００）。
【発明の詳細な説明】
【技術分野】
【０００１】
本発明は、バリスタを過熱から保護するための熱保護装置に関する。
【０００２】
バリスタは特別な電流−電圧特性を有する。バリスタは、印加電圧が一定の値を超えると、電気絶縁状態から電気伝導状態に変化する。この効果は、電圧に敏感な電気素子を保護するために使用される。しかし、バリスタが導電性になると、当該バリスタを通じて大電流が流れ得る。当該電流は、バリスタを爆発点または他の損傷点まで加熱する可能性がある。
【０００３】
バリスタおよび他の電気要素をこのような過熱から保護するために、米国特許第６４３００１９号明細書に記載されているような熱保護を使用することができる。そのような保護の１つのタイプは、温度ヒューズである。
【発明の概要】
【０００４】
本発明の目的は、高速で信頼性の高い熱保護装置を提供することである。より具体的には、課題は、バリスタに一定時間持続的に高電圧が印加されることによって過熱が生じた場合に、バリスタを保護する熱保護装置を提供することである。
【０００５】
独立請求項１に開示される本発明は、この問題に対する解決策を提供する。従属請求項は、好ましい解決策をもたらすことができる。
【０００６】
本発明は、少なくとも１つのキャビティを画定するハウジングを備える熱保護装置に関する。ハウジング内には、バリスタが部分的に埋設されている。バリスタに印加された電圧が特性値に達すると、バリスタは電気絶縁状態から電気伝導状態に変化し、大電流の流れを可能にする。バリスタは、一方の側に接触面を有する。更に、ハウジングは絶縁材料から成る内壁を備え、当該内壁は、バリスタに隣接して配置されるとともに、当該バリスタの接触面に隣接して配置される。当該内壁には窓部が設けられており、当該窓部は、熱保護装置の作動状態の間、バリスタの接触面への接続を可能にする。熱防護装置の障害状態では、内壁の窓部は可動断熱ブロックで覆われている。これにより、バリスタの接触面は、カバーされた窓部と内壁とによって完全に電気的に絶縁されるであろう。
【０００７】
作動状態とは、熱保護装置が設置されているシステムが通常状態であるという条件下での熱保護装置の状態をいう。システムのエラーによってバリスタに高電圧が印加されると、バリスタは導電性になる。その結果、熱保護装置に大電流が流れる。当該大電流は、バリスタを加熱するとともに、バリスタへの電気接続部を加熱することがある。熱保護装置は、このような加熱からバリスタを保護するように設計されている。したがって、加熱が生じると、バリスタとシステムとの間の電気伝導接続部は熱保護装置によって遮断される。接続部が遮断された場合が、熱保護装置の障害状態である。
【０００８】
可動絶縁ブロックが、ハウジングの内側に配置されている。可動絶縁ブロックの機能は、熱保護装置が障害状態にある間、窓部のある領域でバリスタを絶縁することである。
【０００９】
このようなハウジングは、例えば湿度や埃のような環境の影響に対して、いかなる内部部品のための最適な保護を提供する。バリスタの接触面と接触する内壁は、当該内壁に設けられた窓部によって、当該接触面との小さな接触面積を規定し、これは、開放された接触面と比較して、熱保護装置による制御をより容易にする。作動状態において、熱保護装置はバリスタの接触面への接続を可能にする。バリスタにおいて使用可能な接触面積が減少することにより、アーク放電のリスクを低減することがより容易となる。ハウジングの内壁における窓部を被覆することは、接触面全体が電気的に絶縁されることになるので、安全な遮断となる。さらに、カバーは、熱保護装置の提供を妨げるようなアーク放電を防止するように設計することができる。
【００１０】
一実施形態では、熱保護装置は、端子を含む第２接触面を有するバリスタで設計される。当該端子を含む接触面は、上述したバリスタの第１接触面とは反対側に配置され得る。第２接触面の端子はバリスタの寸法よりも大きくすることができる。特別な変形例において、第２接触面の端子はハウジングから突出することができる。ハウジングから突出する端子は、バリスタを回路基板にプラグ接続するように形成することができる。これにより、ハウジング及び熱保護装置は、端子を介して回路基板にプラグ接続することができる。バリスタは、金属酸化物バリスタとすることができる。ある変形例では、酸化亜鉛バリスタである。バリスタは、長方形の形状を有することができるが、それに限定されない。バリスタは、例えば、円形であってもよい。プラグ接続される可能性のあるハウジングから突出し得る端子は、熱保護装置の取り扱い及び交換を改善することができる。これにより、容易かつ迅速な交換が可能になる。
【００１１】
熱保護装置の別の実施形態は、端子に形成された金属接点を含む。この金属接点は、ばね端子を規定することができる。当該ばね端子はハウジングに固定される。当該ばね端子は、ハウジングのキャビティ内に部分的に配置され得る。熱保護装置が作動状態にある間、ばね端子の一端は、ハウジングの内壁の窓部を介して、キャビティ内部で、バリスタの第１接触面に接続され得る。そのような接続は、固定されたばね端子に予応力を生じさせ、これにより、バリスタの第１接触面に垂直な、当該接続から離れる方向に向けられるばね力が生じる。熱保護装置が作動状態にある間、ばね端子に生じ得る予応力は、トリガ信号が生じた場合の応答時間の短縮につながり得る。加えて、ばね端子は、熱保護装置にトリガ信号が生じた後に、外部応力なしでバリスタの第１接触面への接続の初期位置に戻ることはないであろう。ばね端子の一部は、ハウジングから突出し得る。当該部分は、プラグ接続可能な端子として設計され得る。従って、安定してプラグ接続された熱保護装置を提供することができる。
【００１２】
熱保護装置の一実施形態において、ばね端子とバリスタの第１接触面との間の接続部は、熱保護装置が作動状態にある間、低温はんだ接合部として実行される。この「低温」とはある特性温度であり、当該特性温度において、当該はんだ接合部は、金属接点に存在し得るような力又は予応力によって、事前に接合された金属接点及び接触面の分離を可能にする状態になる。「低温」とは、低温はんだの溶融温度であることが考えられる。この特性温度は、はんだの通常の特性温度に比べて低い値である可能性があるため、「低温」と呼ぶことができる。低温はんだの特性温度は、１００℃〜２１０℃の範囲、例えば１３８℃とすることができる。低温はんだ接合部が特性温度まで加熱されると、上記接続部が緩み、はんだが液状になり得る。ばね端子と第１接触面との接続部が緩むと、両者の分離が容易になる。このような分離は、熱保護装置の障害状態につながるであろう。ここで、「障害」という用語は、熱保護装置が設置されるシステムにおける障害となる状態の起源に起因して選択される。
【００１３】
この実施形態では、はんだ接合部がバリスタに直接接触しているので、低温はんだ接合部の加熱は、システム内の障害の結果として当該接続部を流れる大電流によって、又は、バリスタ自体から放射される熱によって引き起こされ得る。加えて、低温はんだ接合部の加熱は、熱保護装置の外部からの他のあらゆる源によっても引き起こされ得る。バリスタへの大電流又はバリスタの加熱は、熱保護装置がバリスタを保護すべきケースです。低温はんだ接合部の配置により、熱保護装置の短い応答時間を確保できる。
【００１４】
低温はんだ接合部を有する実施形態と、上述の実施形態によるばね端子との可能な組み合わせは、バリスタに近接する接続部の配置及び接続されたばね端子内の応力のために、バリスタの第１接触面における安全かつ迅速な遮断につながり得る。
【００１５】
本発明のさらなる実施形態では、ハウジングは、取り外し可能なプラスチックキャップによって閉鎖される。取り外し可能なプラスチックキャップは、ハウジングのキャビティ内の部品へのアクセスを可能にする。さらに、熱を正確に加えることにより、熱保護装置にトリガ信号が生じた後に、ばね端子と第１接触面との間の低温はんだ接合部を再構築することが可能とある。これにより、当業者は熱保護装置を作動状態にリセットすることができる。
【００１６】
熱保護装置の別の実施形態では、ハウジングのキャビティ内にばねが設けられる。当該ばねは、ねじりばねとすることができる。ばねは、ハウジングの内壁に隣接して、バリスタの反対側に配置することができる。さらに、本実施形態の熱防護装置は、ハウジングのキャビティの内側において、内壁に隣接して可動絶縁ブロックを備えることができる。具体的には、可動絶縁ブロックは、ばね端子と内壁との間に部分的に配置することができる。ばね及び可動絶縁ブロックの両方、又はばね及び可動絶縁ブロック一方だけが共通の回転中心を有し得る。この回転中心において、ハウジングのキャビティ内に位置する内壁に、リベットが配置される。当該リベットには、ばね及び可動絶縁ブロックの両方を固定することができる。
【００１７】
熱保護装置が作動状態にある間、ばねは、可動絶縁ブロックをばね端子に対して押し付けることができ、この場合、当該ばね端子はバリスタの第１接触面に接続されている。ばねによって押圧される可動絶縁ブロックは、ばね端子とバリスタの第１接触面との間の接続部に作用する力の源を示すことができ、この場合、ばね及び可動絶縁ブロックによって発揮される力は、内壁に平行に向けられることになる。この力は、熱保護装置の障害状態において、バリスタの第１接触面からばね端子を分離するように方向付けることができる。
【００１８】
熱保護装置の作動状態において、ばね端子には既に予応力が加えられているので、上述したばね力と組み合わせた可動絶縁ブロックは、さらなる分離メカニズムを示す。ばねによって押圧される可動絶縁ブロックの形態での当該分離メカニズムは、接続部が緩んだ場合に第１接触面に対する接続部の分離を確実にするので、熱保護装置の安全性を高める。
【００１９】
可動絶縁ブロックは、回転中心において、リベットの周りを回転して動くように設計することができるので、案内レールは不要となる。したがって、可動絶縁ブロックが動かなくなる可能性は低くなる。これにより、熱保護装置の安全性が向上する。
【００２０】
熱保護装置の好ましい実施形態では、熱保護装置の障害状態において、上述した可動絶縁ブロックはばねによって端位置に押し込まれる。バリスタの加熱によって、当該バリスタの第１接触面に対する接続部が緩くなると、このような障害状態が生じ得る。可動絶縁ブロックは、バリスタの第１接触面から端子を分離するように設計することができる。更に、可動絶縁ブロックは、ハウジングの内壁における窓部を覆うように設計することができ、その結果、バリスタの第１接触面は完全に電気的に絶縁され、従ってアーク放電を回避することになる。このような設計は、熱保護装置の障害状態において、バリスタの遮断を確実にし、フラッシュオーバの緊急事態を防止する。
【００２１】
熱保護装置の可能な実施形態では、熱保護装置の現在の状態を信号送信するための指示器を含む。当該指示器は、ハウジング内に部分的に配置され、ハウジングから突出する複数の信号接点と、ハウジング内に配置される指示器トリガとを備える。指示器は、マイクロスイッチであってもよい。熱保護装置の障害状態において、可動絶縁ブロックは指示器のトリガに到達し得る。可動絶縁ブロックは、当該可動絶縁ブロックが端位置に押し込まれた場合に、指示器を動作させるように設計することができる。任意のさらなる電子部品を指示器の信号接点に接続して、熱保護装置の状態を表示することが可能である。
【図面の簡単な説明】
【００２２】
【図１】熱保護装置の概略的な斜視図であり、ハウジングは透明である。
【図２】埋設されたバリスタを視認できるように透明なハウジングを示す。
【図３】作動状態にある熱保護装置を示す。
【図４】障害状態にある熱保護装置を示す。
【図５】金属酸化物バリスタディスクの概略図を示す。
【発明を実施するための形態】
【００２３】
図１は、作動状態にある熱保護装置１００の例示的な実施形態を示す。図において、ハウジング１は、バリスタ２を視認するために透明なものとして示されており、このバリスタ２は、ハウジング１内に部分的に埋設されている。ハウジング１は、バリスタ２の接触面２１に平行に配置された内壁１６を備える。ハウジングは、少なくとも１つのキャビティを画定する。ここで、内壁１６は、前述のキャビティの壁であってもよい。内壁１６は窓部１２を備え、当該窓部１２により、キャビティ内の一部からバリスタ２の接触面２１への接続部が形成され得る。バリスタ２は端子２２を有する。当該端子は、接触面２１の反対側に配置され、ハウジング１から突出している。
【００２４】
熱保護装置１００は、ハウジング１のキャビティ内に部分的に配置されたばね端子１３を備える。ばね端子は、ハウジング１内の固定手段１４によって、その位置に保持される。ばね端子１３の突出部分及びバリスタ２における端子２２の突出部分は、熱保護装置をプラグ接続可能とするように設計されている。
【００２５】
熱保護装置１００が作動状態にある間、ハウジング１のキャビティ内におけるばね端子１３の端部は、ハウジング１の内壁１６における窓部１２を介して、バリスタ２の接触面２１に接続される。ばね端子１３と第１接触面との間の接続は、ばね端子に応力を生じさせ、この応力は、バリスタ２の接触面２１から離れる方向に向けられる。ばね端子１３と接触面２１との間の接続を保持するために、電気接続１１が用いられる。電気接続１１は、低温はんだ接合によって実現される。このような低温はんだ接合は、はんだが液体になる臨界温度を有する。はんだが液体になる臨界温度は、１００℃〜２１０℃の範囲、例えば１３８℃とすることができる。
【００２６】
作動状態における熱保護装置１００の図示された実施形態は、ハウジング１のキャビティ内に配置され、内壁１６に当接する可動絶縁ブロック４３を備える。ばね４２がキャビティ内に配置されており、可動絶縁ブロック４３を電気接続部１１の近傍でばね端子１３に押しつける。ばね４２は、当該ばねを固定する手段４１によって適所に保持されており、当該ばねを固定する手段４１は、内壁１６に配置され、ハウジング１のキャビティ内に位置する。可動絶縁ブロック４３及びばね４２の移動経路は、内壁１６に平行な平面内、従ってバリスタ２の接触面２１に平行な、ばね４２を固定する手段４１におけるその中心を有する旋回経路である。
【００２７】
図１に示すように、熱保護装置の実施形態は指示器３１を備える。当該指示器３１は、ハウジング１内に部分的に配置され、移動可能な絶縁ブロック４３によって到達され得る。当該指示器は、ハウジング１の外側に配置された信号接点３２を備える。
【００２８】
図２は、部分的に埋設されたバリスタ２を示すために、熱保護装置に関するハウジング１の実施形態を透視図で示している。ハウジングの図示の実施形態は、窓部１２を有する内壁１６を備え、この場合、内壁１６は、部分的に埋設されたバリスタ２の接触面２１に平行に配置され、ハウジング１におけるキャビティを区切る。内壁１６内の窓部１２により、バリスタ２の接触面２１に接続部を形成することができる。内壁１６における窓部１２の形状や配置は、図に示す例に限定されない。バリスタ２の端子２２は、接触面２１の反対側に位置し、ハウジング１から突出する。
【００２９】
ハウジング１内には、指示器３１を固定するための手段３がある。当該手段３は、ハウジングの外壁における切り欠きであり、当該切り欠きは、ハウジングの上部境界から内壁１６の高さまで到達する。ハウジング１は、ばね端子を固定するための手段１４を備える。当該手段１４も、筐体１の外壁における切り欠きである。
【００３０】
ハウジングのキャビティ内には、ばね４２を固定する手段４１がある。ばね４２を固定する手段４１は、内壁１６に配置され、ハウジング１のキャビティ内に位置するリベットのように設計されている。
【００３１】
図３は、作動状態にある熱保護装置１００の可能な実施形態の概略図を表す。この作動状態では、ばね端子１３は、ハウジング１のキャビティ内に部分的に埋設されたバリスタ２の接触面２１に接続されている。当該接続は、ハウジング１の内壁１６における窓部１２を介して実現され、電気接続１１によって保持される。はんだ接合部は低温で安定しており、低温はんだは、その温度が臨界温度に達するまで固体のままである。ばね端子１３は、手段１４によってハウジング１に固定され、これによりハウジング１のキャビティにばね端子を部分的に固定する。ばね端子１３の固定及び接触面２１への接続により、バリスタ２の接触面２１に接続される、ばね端子における端部近傍に応力が蓄積される。この応力は、接触面から離れる方向に向けられており、低温はんだが液体になった場合には、ばね端子１３とバリスタ２の接触面２１との迅速な分離を引き起こす。
【００３２】
この実施形態では、熱保護装置１００は、可動絶縁ブロック４３を備える。作動状態の間、可動絶縁ブロック４３は、ハウジング１のキャビティの内側において、内壁１６とばね端子１３との間に配置される。ばね４２は、熱保護装置１００が作動状態にある限り、電気接続部１１の近傍のばね端子１３に対して可動絶縁ブロック４３を押し付ける。ばね４２と可動絶縁ブロック４３は共通の回転軸を有する。この回転軸は、ばね４２を固定する手段４１によって規定されており、当該手段４１は、内壁１６ａに配置され、ハウジング１のキャビティ内に位置する。ねじりばねは２つのアームを有し、一方のアームは、可動絶縁ブロック４３を押し、他方のアームは、ばね４２にトルクを与えるために、ハウジング１の壁に押し付けられる。
【００３３】
ハウジングのキャビティの内部には、指示器３１のトリガ３３が配置されている。熱保護装置１００が作動状態にある間、指示器３１のトリガ３３は作動しない。対応する電気信号は、ハウジング１から突出する指示器３１の信号接点３２で送られる。
【００３４】
図４は、障害状態にある熱保護装置１００の可能な実施形態の概略図を示す。障害状態は、ばね端子１３とバリスタの端子２２との間での、一定時間に亘る臨界的に高い電圧によって起こされる連鎖反応の結果である。これらの端子間の電圧が特性値に達すると、バリスタ２は、電気絶縁状態から電気伝導状態に変化し、第１の結果として、大電流を可能にする。大電流は、ばね端子１３とバリスタ２の接触面２１との間の電気接続部１１を加熱することができる。これは、使用される低温はんだを液化させるであろう。これにより、ばね端子１３をバリスタ２の接触面２１から離れる方向に曲げるばね端子の応力によって、又は、ばね端子１３と内壁１６との間で可動絶縁ブロック４３を窓部１２の上に押し込むばね４２のトルクによって、電気接続部１１が緩くなる。この連鎖反応の結果として、ばね端子１３がバリスタ２から分離され、可動絶縁ブロックが内壁の窓部１２を閉じ、指示器３１のトリガ３３を作動させる。
【００３５】
図５は、バリスタ２の例示的な実施形態を示す。バリスタは、バリスタ２の一方の側に接触面２１を備える。接触面２１はバリスタ２の金属化層２３に配置される。この金属化層２３は、バリスタ２の一方の側面を部分的に又は完全に覆って延在することができる。バリスタ２は、接触面２１とは反対側に、端子２２を含む更なる接触面を備える。バリスタ２の端子２２はバリスタ２の寸法を越えて突出している。可能な実施形態では、端子２２は、ハウジング１の外部に位置するように設計される。バリスタは金属酸化物バリスタとして設計され得る。このような金属酸化物バリスタは、２つの接触面の間に電圧が印加された場合、特徴的な電気的挙動を有する。印加電圧が一定値に達すると、バリスタの抵抗は絶縁状態から導電状態に急激に変化する。
【符号の説明】
【００３６】
１  ハウジング
１１  電気接続部
１２  窓部
１３  ばね端子
１４  ばね端子を固定する手段
１５  プラスチックキャップ
１６  内壁
１００  熱保護装置
２  バリスタ
２１  接触面
２２  端子
２３  バリスタの金属化層
３  指示器を固定する手段
３１  指示器
３２  指示器の信号接点
３３  トリガ
４１  ばねを固定する手段
４２  ばね
４３  可動絶縁ブロック
４３ａ  端位置
【図１】
2021517739.tif 000003
【図２】
2021517739.tif 000004
【図３】
2021517739.tif 000005
【図４】
2021517739.tif 000006
【図５】
2021517739.tif 000007
【国際調査報告】
2021517739.tif 000008
2021517739.tif 000009
2021517739.tif 000010